(57)【要約】【課題】運転状況に応じて必要とされるイオンを発生させつつ、消費電力の低減、及び性能寿命の長期化を図ることのできるエレベータの提供。【解決手段】かご１に搭載され、イオン発生装置を具備した空気清浄機７と、エレベータの運行を制御する制御装置２とを備えたエレベータにおいて、空気清浄機７の動作時に、動作期間と、この動作期間の後に設けられる停止期間とから成る複数の動作・停止パターンを設定可能とし、予め定められる閾値、例えば、制御装置２に備えられる利用頻度判定部に登録された一定時間内の呼び登録数に基づき判定される閾値に基づき所定の動作・停止パターンを選択するようにしたものである。【選択図】図１
2014012589.tif 000002
【特許請求の範囲】
【請求項１】
かごに搭載され、イオン発生装置を具備した空気清浄機と、エレベータの運行を制御する制御装置とを備えたエレベータにおいて、
前記空気清浄機の動作時に、動作期間と、この動作期間の後に設けられる停止期間とから成る複数の動作・停止パターンを設定可能とし、予め定められる閾値に基づき所定の前記動作・停止パターンが選択されることを特徴とするエレベータ。
【請求項２】
前記閾値は、一定時間内に登録された呼び登録数、又は一定時間内の利用人数に基づき判定されることを特徴とする請求項１記載のエレベータ。
【請求項３】
前記かごに、前記空気清浄機の動作時に、この空気清浄機の動作状態を表示する表示器を備えたことを特徴とする請求項１記載のエレベータ。
【請求項４】
前記空気清浄機の動作回数、動作時間、及び想定寿命の少なくとも１つを表示する表示器を備えたことを特徴とする請求項１記載のエレベータ。
【発明の詳細な説明】
【技術分野】
【０００１】
本発明は、イオン発生装置を搭載したエレベータに関する。
【背景技術】
【０００２】
エレベータのかごにイオン発生装置を搭載し、かご内の除菌や消臭を行うエレベータが増加している。そして、このようなイオン発生装置を制御する背景技術として、特開２００５−８９１７１号公報（特許文献１）がある。この公報には、エレベータかご内の換気を行う換気装置を備えたエレベータにおいて、エレベータかごにはイオン発生装置を設け、換気装置とイオン発生装置とを連動させるものである。運転方法に関しては、複数の運転モードを備え、乗客検出装置によりかご内乗客の有無を判断し、乗客が存在する場合はかご内温度検出装置により検出された温度により適切な運転モードを選択し、乗客が存在しない場合は一定時間経過毎に運転モードを適切に切換え又はかご内イオン検出装置により検出されたかご内イオン濃度により運転モードを切換える方式を備える、と記載されている。
【０００３】
また、特開２００３−３２１１７５号公報（特許文献２）には、エレベータのかご内にマイナスイオンを放出するマイナスイオン発生手段を備えたマイナスイオン発生手段設置かごと、エレベータの運行を制御する制御手段と、を具備し、制御手段は、マイナスイオン放出を所定時間において作動させるかご内マイナスイオン発生時間制御手段を具備し、例えば、かご内マイナスイオン発生時間制御手段は、かご呼びに基づいてマイナスイオン放出を所定時間において作動させたり、乗場呼びに基づいてマイナスイオン放出を所定時間において作動させたり、制御手段は、かご呼び及び乗場呼びを登録する呼び登録手段と、該呼び登録手段に登録された全ての階へのかごのサービスが完了した事を判定する全サービス完了判定手段と、を具備し、前記所定時間は、前記全サービス完了判定によって終了としたりする、と記載されている。
【先行技術文献】
【特許文献】
【０００４】
【特許文献１】特開２００５−８９１７１号公報
【特許文献２】特開２００３−３２１１７５号公報
【発明の概要】
【発明が解決しようとする課題】
【０００５】
ところで、近年、イオン発生装置を具備した空気清浄機が開発されており、このような空気清浄機をかごに搭載し、かご内の除菌や消臭を行うエレベータが増加している。そして、このようなエレベータにおける消費電力の低減、及び性能寿命の長期化を図ることが求められている。しかしながら、前述した特許文献１に記載のものは、換気装置とイオン発生装置の連動制御方法に主眼をおいたものであるとともに、イオン発生装置は常時作動させるという構造であった。また、前述した特許文献２に記載のものは、基本的に乗客の有無に基づきイオン発生装置をＯＮ・ＯＦＦ制御するものであった。したがって、イオン発生装置を具備した空気清浄機における消費電力の低減、及び性能寿命の長期化を図る点で改善の余地があった。
【０００６】
また、イオン発生装置により発生させたイオンは無色、無臭であり、かご内の利用客が知覚することが難しく、利用客へのアピールという観点で課題があった。
【０００７】
さらに、保守時、イオン発生装置の経年変化を容易に判断することができず、装置交換時期を適切に判断することが難しかった。
【０００８】
本発明は、前述した従来技術における実状からなされたもので、その目的は、運転状況に応じて必要とされるイオンを発生させつつ、消費電力の低減、及び性能寿命の長期化を図ることのできるエレベータを提供することにある。
【課題を解決するための手段】
【０００９】
前記目的を達成するために、本発明は、かごに搭載され、イオン発生装置を具備した空気清浄機と、エレベータの運行を制御する制御装置とを備えたエレベータにおいて、前記空気清浄機の動作時に、動作期間と、この動作期間の後に設けられる停止期間とから成る複数の動作・停止パターンを設定可能とし、予め定められる閾値に基づき所定の前記動作・停止パターンが選択されることを特徴としている。
【００１０】
このように構成した本発明では、動作時間可変モードが設定されると、予め定められる閾値に基づき複数の動作・停止パターンのうち、エレベータの運転状況に適した所定の動作・停止パターンが選択される。これによって、イオン発生装置を具備した空気清浄機によりかご内の除菌や消臭を行うエレベータにあって、運転状況に応じて必要とされるイオンを発生させつつ、消費電力の低減、及び性能寿命の長期化を図ることができる。
【発明の効果】
【００１１】
本発明によれば、イオン発生装置を具備した空気清浄機によりかご内の除菌や消臭を行うエレベータにあって、運転状況に応じて必要とされるイオンを発生させつつ、消費電力の低減、及び性能寿命の長期化を図り、これによって、ランニングコストを低減したエレベータを実現することができる。
【図面の簡単な説明】
【００１２】
【図１】本発明に係るエレベータの一実施例を示す全体概略図である。
【図２】本実施例における制御装置、及び他の機器を示すブロック図である。
【図３】本実施例における表示器の表示例を示す説明図である。
【図４】本実施例における表示器の他の表示例を示す説明図である。
【図５】本実施例における制御部の処理手順を示すフローチャートである。
【図６】本実施例における空気清浄機の制御手順を示すフローチャートである。
【図７】本実施例における閾値判定を含む空気清浄機の制御手順を示すフローチャートである。
【発明を実施するための形態】
【００１３】
以下、本発明に係るエレベータの実施例を図に基づき説明する。
【００１４】
本実施例のエレベータは、図１に示すように、昇降路内を昇降するかご１と、かご１の昇降制御を含め、エレベータを統括制御する制御装置２と、乗場に設けられ、乗場呼びを登録する乗場呼び釦３と、かご１内に配置され、表示器４、及び行先階釦５を装備するかご内操作盤６と、かご１に搭載され、イオン発生装置を具備した空気清浄機７と、かご１に搭載される送風ファン８と、保守員によって保守点検時に操作される保守用スイッチ９ａ、９ｂ、９ｃと、外部からの情報を入力可能な外部入力装置１０ａ、１０ｂ、１０ｃと、かご１及び乗場からの信号を通信する信号線１１とを有して構成されている。
【００１５】
制御装置２は、図１及び図２に示すように、制御部２ａを有しており、この制御部２ａには、乗場呼び、及びかご呼びの登録数がカウントされる利用頻度判定部２ａ１と、空気清浄機７、及び表示器４などを制御する動作制御部２ａ２と、外部入力装置１０ａ〜１０ｃから入力されるデータを記憶するデータ記憶部２ａ３とを有している。
【００１６】
表示器４は、図３に示すように、イオン発生装置を具備した空気清浄機７の動作時に、この空気清浄機７の動作状態を表示するようになっている。本実施例では、後述するように、空気清浄機７が「強」運転モード、「弱」運転モード、及び「均等」運転モードを備えるため、これらの運転モードを報知するようになっている。なお、本図では「強」運転モード時の表示を示している。また、表示器４は、図４に示すように、保守点検時に、例えば、空気清浄機７の動作回数、及び動作時間を表示するようになっている。保守員は、保守点検時に、表示器４にこれらの情報を表示させ、次回の交換時期の目安を把握する。なお、表示器４は、例えば、かご入り口上部の枠に表示するなど、かご１内の利用客が目にするところに設置すればよく、設置場所を限定する必要はない。また、図３では運転モードを表示するものとしたが、色の違い、濃淡の変化などにより空気清浄機７の動作を表現するようにしてもよい。さらに、１日毎の空気清浄機７の動作回数も表示し、乗客に報知するようにしてもよい。さらにまた、保守時、表示器４で直接故障情報を表示することで、修理忘れを防ぐようにしてもよい。また、ここでは、かご１内に設置した表示器４により、利用客への報知、及び保守用の表示のそれぞれを行うようにしたが、保守用の表示器を別途、一般利用客の目のつかない場所に設置してもよい。
【００１７】
送風ファン８は、かご運行時に動作し、図示しないかごドアが閉じられている状態では、かご１内の空気を対流させて、空気清浄機７のイオン拡散を促進する。また、送風ファン８に、風向を変更可能な板体が取付けられ、かごドアが閉じているときはかご１内にイオンが循環する風向に、一方、かごドアが開いているときはかご１内からのイオン流出を抑える風向になるよう、かごドアの開閉状態により風向を制御することで、イオンを効率よくかご１内に循環させる。なお、図１に示す送風ファン８は、かご５の後ろ側、即ち、かごドアの反対側の天井に設置されているが、送風ファン８をかごドア付近に設けてカーテン状の空気を送り出し、かごドアが開いているときに、かご１内からイオン流出を抑える目的に使用してもよい。
【００１８】
エレベータを利用する人数が少ない場合は、乗客によりかご１内に持ち込まれる菌や匂いの元となる分子の数も少ないため、空気清浄機７の稼働時間を短くすることができる。一方、エレベータを利用する人数が多い場合は、乗客によりかご１内に持ち込まれる菌や匂いの元となる分子の数が多くなることから、空気清浄機７によりかご１内により多くのイオンを供給する必要がある。そこで、本発明は、エレベータの利用頻度に応じて空気清浄機７の動作時間を制御するようにし、イオン発生装置を具備した空気清浄機７の動作時に、動作期間と、この動作期間の後に設けられる停止期間とから成る複数の動作・停止パターンを設定可能とするとともに、動作時間可変モード時、予め定められる閾値に基づき所定の動作・停止パターンを選択するようにした。具体的には、利用頻度判定部２ａ１により乗場呼び、及びかご呼びの登録数をカウントし、例えば、２時間あたり１５個より多く登録されたならば、「強」運転モード、即ち動作期間２０分、休止期間１０分で運転し、一方、２時間あたり１５個より少なく登録されたならば、「弱」運転モード、即ち、動作期間１０分、休止期間２０分で運転する。また、空気清浄機７は、動作時間可変モード、及び動作時間非可変モードが設定可能となっている。
【００１９】
ここで、本実施例のエレベータの動作手順を図５〜図７に基づき説明する。
【００２０】
制御部２ａの全体処理は、図５に示すように、ステップＥ１０として、電源投入、又はリスタートにより制御部２ａは起動され、ステップＥ２０にて、制御部２ａのイニシャル処理として初期処理が実行される。次いで、ステップＥ３０として、運転制御入力処理に移る。ここで、かごの位置等エレベータの運転制御に必要な信号が入出力される。ステップＥ４０及びＥ５０に示すように、かご呼び、及び乗場呼びの入出力が行われ、ステップＥ６０にて、エレベータの運転モードが選択され、ステップＥ７０として、空気清浄機７の動作制御がなされる。そして、ステップＥ８０にて、エレベータ起動処理が実行されエレベータが動作する。以上、ステップＥ３０〜Ｅ８０は、電源ダウンかプログラム異常が発生するまで、繰り返し所定の時間間隔で実行される。
【００２１】
図５のステップＥ７０における空気清浄機７の動作制御は、まず図６に示すように、ステップＥ７０ａとして、エレベータの運転モードの判断が行われる。この運転モードは図４のステップＥ６０の運転モード選択で選択されたものである。ここで、管制運転モードであれば、ステップＥ７０ｇに進み、管制運転モード以外であればステップＥ７０ｂに進む。ステップＥ７０ｂでは、工事期間中かどうかを判断する。これは図２に示すデータ記憶部２ａ３の工事中データにより判断される。工事中データが入力されているとステップＥ７０ｇに進む。ここで、工事中データがあるかどうかが判断されるのは、建物工事期間中は、空気清浄機７を動作させることが不要であるとともに、工事期間におけるエレベータ使用時に粉塵を空気清浄機７が吸い込まないようにするためものである。
【００２２】
工事中データが入力されていなければ、ステップＥ７０ｃに進み、このステップＥ７０ｃで保守運転かどうかを判断する。即ち、保守用スイッチ９ａ〜９ｃの何れか１つでも投入されている場合は、ステップＥ７０ｅに進み、保守用スイッチ９ａ〜９ｃがすべて投入されていない場合は、ステップＥ７０ｄに進む。ステップＥ７０ｄでは、後述する図７のフローチャートに基づきさらなる空気清浄機７の運転制御がなされる。
【００２３】
ステップＥ７０ｅとして、データ記憶部２ａ３の強制運転データ入力有無を判断し、入力されている場合はステップＥ７０ｆに進み、入力されていない場合はステップＥ７０ｇに進む。なお、ここで言う強制運転データとは、空気清浄機７を強制運転し、保守員により空気清浄機７が正常かどうかを判断するためのものである。ステップＥ７０ｆにて、空気清浄機７の強制運転がなされ、例えば、動作期間１０秒、休止期間５秒で断続的に運転し、保守員は空気清浄機７が正常かどうかを判断する。この後、保守用スイッチ９ａ〜９ｃが解除されるか、強制運転データがクリアされた場合は、空気清浄機７の動作を停止する。
【００２４】
図６のステップＥ７０ｄにおける空気清浄機７の運転制御は、図７に示すように、ステップＥ７０ｄ１にて、動作時間可変モードかどうかを判定する。このモードの切り替えは、図２の外部入力装置１０ａ〜１０ｃの操作により選択されるものである。ここで、動作時間可変モードであることが判断されると、ステップＥ７０ｄ２に、そうでなければステップＥ７０ｄ７に進む。
【００２５】
ステップＥ７０ｄ２では、利用頻度判定部２ａ１により乗場呼び、及びかご呼びの登録数をカウントし、２時間あたり１５個以上登録されていれば、ステップＥ７０ｄ３に進み、１５個以下であれば、ステップＥ７０ｄ５に進む。ステップＥ７０ｄ３では、「強」運転モードが選択され、ステップＥ７０ｄ４に示すように、空気清浄機７は動作期間２０分、及び休止期間１０分の動作・停止パターンで運転される。このとき、制御部２ａはかご１内に設置される表示器４に表示信号を出力し、表示器４は、図３に示すように、空気清浄機７が「強」運転モードで運転され、エレベータ利用状況に応じたイオンが放出されていることを報知する。
【００２６】
一方、ステップＥ７０ｄ５では、「弱」運転モードが選択され、ステップＥ７０ｄ６に示すように、空気清浄機７は動作期間１０分、及び休止期間２０分の動作・停止パターンで運転される。このとき、制御部２ａはかご１内に設置される表示器４に表示信号を出力し、表示器４は、空気清浄機７が「弱」運転モードで運転され、エレベータ利用状況に応じたイオンが放出されていることを報知する。
【００２７】
前述したステップＥ７０ｄ１で動作時間可変モードでないこと、即ち、動作時間非可変モードであることが判断されると、ステップＥ７０ｄ７として、「均等」運転モードが選択され、ステップＥ７０ｄ８に示すように、空気清浄機７は動作期間１０分、及び休止期間１０分の動作・停止パターンで運転される。
【００２８】
本実施例によれば、空気清浄機７の動作時に、動作期間と、この動作期間の後に設けられる停止期間とから成る複数の動作・停止パターンを設定可能とし、予め定められる閾値、即ち、制御装置２に備えられる利用頻度判定部２ａ１に登録された一定時間内の呼び登録数に基づき判定される閾値に基づき所定の動作・停止パターンが選択されることにより、イオン発生装置を具備した空気清浄機７によりかご１内の除菌や消臭を行うエレベータにあって、運転状況に応じて必要とされるイオンを発生させつつ、消費電力の低減、及び性能寿命の長期化を図り、これによって、ランニングコストを低減したエレベータを実現することができる。
【００２９】
また、かご１に、表示器４を設け、空気清浄機７の動作時に、この空気清浄機７の動作状態を表示することにより、利用客は空気清浄機７の運転状態を容易に認知することができる。さらに、表示器４は、空気清浄機７の動作回数、及び動作時間を表示することにより、保守員は空気清浄機７及びこの空気清浄機が具備するイオン発生装置の経年変化を容易に判断し、ひいては装置交換時期を適切に判断することができる。
【００３０】
なお、前述した実施例では、利用頻度判定部２ａ１により乗場呼び、及びかご呼びの登録数をカウントし、２時間あたり１５個より多く登録されたならば、空気清浄機７を「強」運転モード、即ち動作期間２０分、休止期間１０分で運転し、一方、２時間あたり１５個より少なく登録されたならば、「弱」運転モード、即ち、動作期間１０分、休止期間２０分で運転するようにしたが、本発明はこれに限られるものではない。即ち、前述した閾値、動作時間、休止時間、及び運転モードの数は、空気清浄機の性能、かごの大きさ、エレベータ利用状況等により最適な設定が異なるものであることから、それぞれは任意に設定されるものである。また、動作時間非可変モードにあっては、動作期間１０分、及び休止期間１０分の動作・停止パターンで運転される「均等」運転モードを選択するようにしたが、他の設定でもよい。さらに、閾値を、制御装置２に備えられる利用頻度判定部２ａ１に登録された一定時間内の呼び登録数に基づき判定するようにしたが、他の方法、例えば、一定時間内の利用人数に基づき、閾値を判定するようにしてもよい。
【００３１】
また、本発明は前述した実施例に限定されるものではなく、様々な変形例が含まれる。例えば、前述した実施例は本発明を分かりやすく説明するために詳細に説明したものであり、必ずしも説明した全ての構成を備えるものに限定されるものではない。また、ある構成の一部を他の構成に置き換えることが可能である。
【符号の説明】
【００３２】
１  かご
２  制御装置
２ａ１  利用頻度判定部
３  乗場呼び釦
４  表示器
５  行先階釦
７  空気清浄機
８  送風ファン
９ａ〜９ｃ  保守用スイッチ
１０ａ〜１０ｃ  外部入力装置
【図１】
2014012589.tif 000003
【図２】
2014012589.tif 000004
【図３】
2014012589.tif 000005
【図４】
2014012589.tif 000006
【図５】
2014012589.tif 000007
【図６】
2014012589.tif 000008
【図７】
2014012589.tif 000009